(57)【要約】【課題】  本考案の目的は、しゃがむ動作を行わずに、吊り下げられた調理器具や食材を取り扱うことができる屋外用加熱調理装置を提供する。【解決手段】  屋外用加熱調理装置は、吊り下げ支持脚Ｌと、加熱燃料を支持可能な火床を有する燃焼装置Ｂとを備えている。吊り下げ支持脚Ｌは、回動軸部１０と、回動軸部１０から垂下された吊り下げ支持具３０と、３以上の脚部２０とを有している。脚部２０は、回動軸部１０に回動可能に軸支されており、且つ回動軸部１０から放射状に延びた状態で、地面に載置可能な構成となっている。燃焼装置Ｂは、火床１００が脚部２０の内側且つ吊り下げ支持具３０の下側に位置するように、配置される。火床１００の上端の高さ位置が、地面から４００ｍｍ以上である。【選択図】      図１
0003216286.tif 000002
【実用新案登録請求の範囲】
【請求項１】
吊り下げ支持脚と、
加熱燃料を支持可能な火床を有する燃焼装置とを備えており、
前記吊り下げ支持脚は、回動軸部と、前記回動軸部から垂下された吊り下げ支持具と、３以上の脚部とを有しており、
前記脚部は、前記回動軸部に回動可能に軸支されており、且つ当該脚部が開いた状態で、地面に設置可能な構成であり、
前記燃焼装置は、前記火床が前記脚部の内側且つ前記吊り下げ支持具の下側に位置するように、配置され、前記火床の上端の高さ位置が、地面から４００ｍｍ以上である屋外用加熱調理装置。
【請求項２】
請求項１記載の屋外用加熱調理装置において、
前記燃焼装置の前記火床の上端の高さ位置が、地面から５００ｍｍ以上であり且つ９００ｍｍ以下の高さに位置している屋外用加熱調理装置。
【請求項３】
請求項１〜２の何れかに記載の屋外用加熱調理装置において、
前記脚部は、４つである屋外用加熱調理装置。
【請求項４】
請求項１〜３の何れかに記載の屋外用加熱調理装置において、
前記脚部は、異なる表面処理がなされた上側部分及び下側部分を有しており、
前記脚部の前記下側部分の上端の高さ位置は、前記燃焼装置の前記火床の上端の高さ位置よりも上に位置している屋外用加熱調理装置。
【請求項５】
請求項４記載の屋外用加熱調理装置において、
前記脚部は、その長手方向に着脱可能に連結された複数のポールで構成されており、前記脚部の前記下側部分及び前記上側部分は、それぞれ前記複数のポールのうち一又は複数のポールで構成されており、前記下側部分を構成する前記一又は複数のポールと、前記上側部分を構成する前記一又は複数のポールとに対して異なる表面処理がなされている屋外用加熱調理装置。
【請求項６】
請求項４又は５記載の屋外用加熱調理装置において、
前記脚部の前記上側部分に対してめっき処理がなされており、
前記脚部の前記下側部分に対して粉体塗装がなされている屋外用加熱調理装置。
【請求項７】
請求項１〜６の何れかに記載の屋外用加熱調理装置において、
前記燃焼装置は、平面視四角環状の支持枠を有するフレームと、
前記フレームを支持する複数の脚部とを更に有しており、
前記火床は、上下逆向きの四角錐台状の筒体であって、前記支持枠内に入れ子状に挿入され、当該支持枠に支持されている屋外用加熱調理装置。
【考案の詳細な説明】
【技術分野】
【０００１】
本考案は、屋外用加熱調理装置に関する。
【背景技術】
【０００２】
従来、キャンプ場で、三脚などの吊り下げ支持脚に鍋等の調理器具や食材を吊り下げる一方で、その調理器具や食材の下に配置した薪や炭などの加熱燃料を燃焼させて、当該調理器具や食材を加熱している（特許文献１及び２参照）。
【先行技術文献】
【特許文献】
【０００３】
【特許文献１】実用新案登録第３０９９１７１号公報
【特許文献２】実開昭５３−１０６２７５号公報
【考案の開示】
【考案が解決しようとする課題】
【０００４】
安全性の観点から、吊り下げられた調理器具や食材は、地面近くの低い高さ位置に配置されることになるため、しゃがむ動作を行わなければ、吊り下げられた調理器具や食材を取り扱うことが困難である。
【０００５】
本考案は、上記事情に鑑みて創案されたもので、しゃがむ動作を行わずに、吊り下げられた調理器具や食材を取り扱うことができる屋外用加熱調理装置を提供することを目的としている。
【課題を解決するための手段】
【０００６】
上記課題を解決するために、本考案に係る屋外用加熱調理装置は、吊り下げ支持脚と、加熱燃料を支持可能な火床を有する燃焼装置とを備えている。吊り下げ支持脚は、回動軸部と、回動軸部から垂下された吊り下げ支持具と、３以上の脚部とを有している。脚部は、回動軸部に回動可能に軸支されており且つ当該脚部が開いた状態で、地面に載置可能な構成となっている。燃焼装置は、火床が脚部の内側且つ吊り下げ支持具の下側に位置するように、配置される。火床の上端の高さ位置が、地面から４００ｍｍ以上である。
【０００７】
このような態様の屋外用加熱調理装置による場合、燃焼装置の火床の上端が、上記範囲の高さに位置しているため、この火床上に配置される吊り下げ支持具により吊り下げ支持される鍋ややかん等の調理器具や食材は、当該火床の上方に配置されることになる。よって、しゃがむ動作を行わずに、吊り下げられた調理器具や食材を取り扱うことができる。
【０００８】
燃焼装置の火床の上端の高さ位置が、地面から５００ｍｍ以上であり且つ９００ｍｍ以下の高さに位置していてもと良い。このような態様の屋外用加熱調理装置による場合、火床上に配置される吊り下げ支持具により吊り下げ支持される調理器具や食材の高さ位置がより高くなるものの、高すぎる位置ではないため、しゃがむ動作を行わずに、より容易且つ安全に調理器具や食材を取り扱うことができる。
【０００９】
脚部は４つとすることが可能である。この場合、吊り下げ支持具が四つの脚部によって支持されるため、吊り下げ支持具によって調理器具や食材が吊り下げられた状態が安定する。
【００１０】
脚部は、異なる表面処理がなされた上側部分及び下側部分を有する構成とすることが可能である。脚部の下側部分の上端の高さ位置は、燃焼装置の火床の上端の高さ位置よりも上に位置する構成とすることが可能である。
【００１１】
脚部は、その長手方向に着脱可能に連結された複数のポールで構成することが可能である。この場合、脚部の下側部分及び上側部分は、それぞれ複数のポールのうち一又は複数のポールで構成することが可能である。下側部分を構成する一又は複数のポールと、上側部分を構成する一又は複数のポールとが異なる表面処理がなされた構成とすることが可能である。このような態様の屋外用加熱調理装置による場合、ある表面処理を行った一又は複数のポールを脚部の上側部分として使用し、別の表面処理を行った一又は複数のポールを脚部の下側部分として使用することができるので、一本の脚部の上側部分と下側部分に対して異なる表面処理を行う場合に比べて、各表面処理を行い易くなる。
【００１２】
脚部の上側部分に対してめっき処理がなされ、脚部の下側部分に対して粉体塗装されていても良い。このような態様の屋外用加熱調理装置は、脚部の下側部分に対して、めっき処理よりも安価な粉体塗装がなされているので、脚部全体に対してめっき処理する場合に比べて低コスト化を図ることができる。また、脚部の下側部分が粉体塗装されているため、燃焼装置の火床で加熱燃料が燃焼しても、脚部の下側部分が熱焼けするのを抑制できる。
【００１３】
燃焼装置は、平面視四角環状の支持枠を有するフレームと、フレームを支持する複数の脚部とを更に有する構成とすることが可能である。火床は、上下逆向きの四角錐台状の筒体であって、支持枠内に入れ子状に挿入され、当該支持枠に支持された構成とすることが可能である。
【図面の簡単な説明】
【００１４】
【図１】本考案の実施例１に係る屋外用加熱調理装置の概略的斜視図である。
【考案を実施するための形態】
【００１５】
以下、本考案の実施例１に係る屋外用加熱調理装置について図１を参照しつつ説明する。屋外用加熱調理装置は、吊り下げ支持脚Ｌ（以下、単に、支持脚Ｌとも称する。）を備えている。
【００１６】
支持脚Ｌは、回動軸部１０と、少なくとも３つの脚部２０とを有している。回動軸部１０は、少なくとも３つの脚部２０が閉位置と開位置との間で開閉自在となるように、少なくとも３つの脚部２０を軸支している。回動軸部１０は、図１に示されるように少なくとも３つの脚部２０の上端を軸支していても良いし、少なくとも３つの脚部２０の中間部を軸支していても良い。閉位置は、少なくとも３つの脚部２０の全部又は中間部よりも下側の部分が回動軸部１０から略平行に延びる位置とすることが可能である。開位置は、少なくとも３つの脚部２０の全部又は中間部よりも下側の部分が回動軸部１０から斜め下方へ放射状に延びる位置である。少なくとも３つの脚部２０が開位置に位置した状態（開いた状態）で、少なくとも３つの脚部２０が地面に載置可能となる。以下、説明の便宜上、このように支持脚Ｌが開いた状態で地面に設置された状態を、単に設置状態と称する。なお、各脚部２０の下端が地面に接触する部分である。
【００１７】
回動軸部１０は、本体部１１と、少なくとも３つの軸支部１２とを有している。本体部１１は、円板又は多角形の板等とすることが可能である。各軸支部１２は、本体部１１の下面に設けられている。各軸支部１２は、図１に示されるように各脚部２０の上端を軸支していても良いし、各脚部２０の中間部を軸支していても良い。各軸支部１２が各脚部２０の上端を回動自在に軸支する場合、各脚部２０が回動軸部１０の本体部１１から離れるように延びている。各軸支部１２が各脚部２０の中間部を回動自在に軸支する場合、各脚部２０の中間部より上側の部分が回動軸部１０の本体部１１を貫通して上方に延び、各脚部２０の中間部より下側の部分が回動軸部１０の本体部１１から下方に延びている。なお、図１では、回動軸部１０の軸支部１２（図示三つ）が４つであり、各々に脚部２０の上端が軸支されている。すなわち、脚部２０も４つである。
【００１８】
各脚部２０は、図１に示すように、長尺状であって、複数のポールが当該脚部２０の長手方向に連結された構成である。この複数のポールは、全て同じ長さであっても良いし、複数のポールのうちの一部のポールの長さが他のポールの長さと相違していても良い。後者の例としては、複数のポールのうち、最も上に位置し且つ回動軸部１０に軸支されるポールが、他のポールよりも若干長くすることが可能であるが、これに限定されるものではない。別の態様では、各脚部２０は、伸縮不能な一つのポールで構成されていても良いし、一つの伸縮ポールで構成されていても良い。何れの態様であっても、各脚部２０は、異なる表面処理がなされた上側部分２１と下側部分２２を有する構成とすることが可能である。各脚部２０が複数のポールを有する場合、その上側部分２１及び下側部分２２のそれぞれが、前記複数のポールのうちの一又は複数のポールで構成されていると良い。この場合、上側部分２１を構成する一又は複数のポールと、下側部分２２をそれぞれ構成する一又は複数のポールとに対して異なる表面処理がなされている。なお、表面処理としては、めっき処理、耐熱処理及び塗装などから一の処理を任意に選択できるが、これに限定されるものではない。図１では、上側部分２１を構成する一又は複数のポールに対してめっき処理がなされ、下側部分２２を構成する一又は複数のポールに対して粉体塗装がなされている。
【００１９】
このように各脚部２０の下側部分２２に対して、めっき処理よりも安価な塗装（粉体塗装を含む。）がなされていることによって、各脚部２０全体に対してめっき処理する場合に比べて低コスト化が図られている。
【００２０】
上記した何れかの態様の支持脚Ｌは、吊り下げ支持具３０を更に有している。吊り下げ支持具３０は、回動軸部１０から垂下された自在鉤又は鎖等であって、鍋ややかん等の調理器具や食材を吊り下げ支持可能である。鎖の下端部には、フックや自在鉤が設けられていても良い。
【００２１】
屋外用加熱調理装置は、燃焼装置Ｂを更に備えている。燃焼装置Ｂは、火床１００と、フレーム２００と、複数の脚部３００とを有している。
【００２２】
火床１００は、薪や炭等の加熱燃料を支持可能な構成であれば良い。例えば、火床１００は、多角形状の筒、円筒、上下逆向きの多角錐台状の筒（図１では、上下逆向きの四角錐台状の筒）又は上下逆向きの円錐台状の筒とすることが可能である。前述の何れかの筒は有底であっても良い。火床１００は、その内部に支持される図示しないロストル（火格子）又は複数の貫通孔付きの耐熱板を有する構成とすることが可能である。この場合、ロストル又は耐熱板上に加熱燃料が載置され、火床１００内に収容され、支持されている。なお、支持脚Ｌの少なくとも３つの脚部２０が、上記した何れかの態様の上側部分２１及び下側部分２２を有している場合、上記設置状態において、当該下側部分２２の上端の高さ位置が、火床１００の上端の高さ位置よりも上に位置していると良い。少なくとも３つの脚部２０の下側部分２２が粉体塗装されている場合、当該下側部分２２が火床１００の周りに配置されるため、火床１００に支持される加熱燃料によって当該下側部分２２が熱焼けするのを抑制できる。
【００２３】
フレーム２００は、上記した火床１００を支持し得る構成であれば良い。例えば、フレーム２００は、平面視において多角環状（図１では四角環状）又は円環状の支持枠２１０を有している。火床１００が多角形状の筒又は円筒である場合、支持枠２１０の内形寸法は、火床１００の外形寸法よりも大きく、火床１００は、フック等で支持枠２１０に引っかけられるようになっていると良い。火床１００が上下逆向きの多角錐台状の筒又は上下逆向きの円錐台状の筒である場合、支持枠２１０の内形寸法は、火床１００の下端部の外形寸法よりも大きく、火床１００の中腹部の外形寸法とほぼ同じであって、火床１００の中腹部が支持枠２１０内に入れ子状に挿入され、当該支持枠２１０に支持される構成となっていると良い。
【００２４】
図１では、フレーム２００は、正面部２０１、背面部２０２及び側面部２０３、２０４を有している。正面部２０１、背面部２０２は正面視、背面視において略ロ字状である。側面部２０３、２０４は、側面視において略Ｍ字状であって、一対の第１パーツ及び第２パーツを各々有している。第１パーツ及び第２パーツは、それぞれ、下向き略Ｕ字状であって、第１垂下部、第２垂下部及び両垂下部の上端間を連結した連結部を有している。側面部２０３、２０４の各々において、第１パーツ及び第２パーツの第２垂下部は隣り合っており、連結されている。側面部２０３、２０４の第１パーツの第１垂下部は正面部２０１の両端部に連結され、側面部２０３、２０４の第２パーツの第１垂下部は背面部２０２の両端部に連結されている。この場合、正面部２０１の上側部、背面部２０２の上側部及び側面部２０３、２０４の連結部により、平面視略四角環状の支持枠２１０が構成されている。
【００２５】
燃焼装置Ｂは、灰受け４００又は図示しない底板を更に備えた構成とすることが可能である。灰受け４００は、一対のフックによってフレーム２００に吊り下げ支持され、火床１００下に配置されている。灰受け４００が火床１００内から落下する固形燃料の灰などを受ける。底板は、火床１００内のロストル又は耐熱板よりも下側に配置されており、且つ火床１００内から落下する固形燃料の灰を受ける。
【００２６】
複数の脚部３００は、上記した何れかの態様のフレーム２００に取り付けられ、当該フレーム２００を支持する構成であれば良い。図１では、脚部３００は四つであって、フレーム２００の側面部２０３、２０４の四つの第１垂下部に取り付けられている。
【００２７】
上記した何れかの態様の燃焼装置Ｂは、火床１００が上記設置状態の支持脚Ｌの少なくとも３つの脚部２０の内側且つ吊り下げ支持具３０の下側に位置するように、配置可能である。この燃焼装置Ｂの火床１００の上端の高さ位置は、地面から４００ｍｍ以上であり、より好ましくは、地面から５００ｍｍ以上であり且つ９００ｍｍ以下の高さに位置していると良い。火床１００の上端の高さ位置が、地面から４００ｍｍ以上であれば、使用者は、しゃがむ動作を行わずに、吊り下げ支持具３０によって火床１００上で吊り下げ支持された調理器具や食材を取り扱うことができる。火床１００の上端の高さ位置が、地面から５００ｍｍ以上であり且つ９００ｍｍ以下の高さであれば、吊り下げ支持具３０によって火床１００上で吊り下げ支持された調理器具や食材の高さ位置が、より多くの使用者にとって、取り扱い易い高さに位置するものの、高すぎる位置ではないため、多くの使用者が、しゃがむ動作を行わずに、より容易且つ安全に調理器具や食材を取り扱うことができる。
【００２８】
なお、上記した加熱燃焼装置は、上記実施例に限定されるものではなく、実用新案登録請求の範囲の記載範囲において任意に設計変更することが可能である。以下、詳しく述べる。
【００２９】
本発明の燃焼装置は、加熱燃料を支持可能な火床を有し、この火床が上記何れかの態様の吊り下げ支持脚の少なくとも３つの脚部の内側且つ吊り下げ支持具の下側に位置するように、配置可能なものである限り、任意に設計変更可能である。本発明の火床の上端の高さ位置は、地面から４００ｍｍ以上であれば良い。
【００３０】
なお、上記した加熱燃焼装置の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００３１】
Ｌ：吊り下げ支持脚
１０：回動軸部
１１：本体部
１２：軸支部
２０：脚部
２１：上側部分
２２：下側部分
３０：吊り下げ支持具
Ｂ：燃焼装置
１００：火床
２００：フレーム
２０１：正面部
２０２：背面部
２０３：側面部
２０４：側面部
２１０：支持枠
３００：脚部
【図１】
0003216286.tif 000003